(57)【要約】【課題】シリコンゴム等からなる義乳房をブラジャーに装着して使用する場合に有効な吸汗パッドを提供すること。【解決手段】吸汗パッド６は、パーツ６１１，６１２の周囲の接合部５を、開口部６２を除いて縫製等によって接合し、袋状に形成してある。パーツ６１１，６１２は、２層からなり、外側の層はメリヤス地を用い、内側の層は両面タオル地を用いている。吸汗パッド６は、義乳房を装着したブラジャーを着用した際、胸と義乳房の間に位置するように着用する。吸汗パッド６は、袋状に形成してあるから、その吸汗パッド内に高吸水性材料からなる吸水部材を収納してさらに吸汗効果を高めることもできる。【選択図】                図１
2004329563.tif 000002
【特許請求の範囲】
【請求項１】
吸水性材料を積層してなる義乳房着用時に使用することを特徴とする吸汗パッド。
【請求項２】
吸水性材料からなり袋状で開口部を備え、義乳房着用時に使用することを特徴とする吸汗パッド。
【請求項３】
請求項１又は請求項２に記載の吸汗パッドにおいて、折り曲げ可能な舌状部を備えていることを特徴とする吸汗パッド。
【請求項４】
請求項１又は請求項２に記載の吸汗パッドにおいて、吸汗パッドの形状は義乳房の底面又はブラジャーの義乳房を装着する部分の形状に略沿う形状であることを特徴とする吸汗パッド。
【請求項５】
吸水性材料からなり袋状で開口部を備え、大きさが異なる吸汗パッドの組み合わせからなる義乳房着用時に使用することを特徴とする吸汗パッド。
【発明の詳細な説明】
【０００１】
【発明の属する技術分野】
本願発明は、シリコンゴム等からなる義乳房を装着する際に使用する吸汗パッドに関する。
【０００２】
【従来の技術】
従来手術によって乳房を切除した場合、シリコンゴム等からなる義乳房が使用されている（例えば特許文献１参照）。
図７により義乳房の使用例を説明する。図７（ａ）は、義乳房をブラジャーとともに胸に着用した状態の正面図を示し、図７（ｂ）は、図７（ａ）のＸ１−Ｘ１部分の矢印方向の断面図（断面はブラジャー部分）を示す。
ブラジャー２は、胸１に着用してある。ブラジャー２のカップ２１の裏側（胸側）には、布４を取付けてポケット部を形成し、そのポケット部に義乳房３を挿入し装着してある。ブラジャー２を着用すると、義乳房３は、胸１の乳房を切除した部分にフィットする。義乳房３は、シリコンゴム等により形成してあるから、胸１の義乳房３が接する部分は汗をかきやすい、或いは汗が発散し難い。
【０００３】
【特許文献１】
特開平５−１５４１６９号公報
【０００４】
【発明が解決しようとする課題】
本願発明は、義乳房を装着したブラジャーを着用した際の汗の不快感を解消して義乳房を快適に使用できる吸汗パッドを提供することを目的とする。
【０００５】
【課題を解決するための手段】
請求項１に記載の吸汗パッドは、吸水性材料を積層してなる義乳房着用時に使用することを特徴とする。
請求項２に記載の吸汗パッドは、吸水性材料からなり袋状で開口部を備え、義乳房着用時に使用することを特徴とする。
請求項３に記載の吸汗パッドは、請求項１又は請求項２に記載の吸汗パッドにおいて、折り曲げ可能な舌状部を備えていることを特徴とする。
請求項４に記載の吸汗パッドは、請求項１又は請求項２に記載の吸汗パッドにおいて、吸汗パッドの形状は義乳房の底面又はブラジャーの義乳房を装着する部分の形状に略沿う形状であることを特徴とする吸汗パッド。
請求項５に記載の吸汗パッドは、吸水性材料からなり袋状で開口部を備え、大きさが異なる吸汗パッドの組み合わせからなる義乳房着用時に使用することを特徴とする。
【０００６】
【発明の実施の形態】
図１〜図６により本願発明の実施の形態に係る吸汗パッドを説明する。なお各図に共通の部分は、同じ符号を使用している。
【０００７】
図１は、第１実施形態に係る吸汗パッドの構成を示す。
図１（ａ）は平面図、図１（ｂ）は図１（ａ）の矢印Ｙ１方向の側面図、図１（ｃ）は図１（ａ）のＰ部分におけるＹ２ーＹ２部分の矢印方向の断面の詳細図である。
吸汗パッド６は、パーツ６１１，６１２からなり、両パーツの周辺部は、開口部６２を除いて接合部５の部分で接合して袋状に形成してある。接合部５の詳細は、図１（ｃ）に示す。パーツ６１１，６１２は、周辺部を突き合わせて積層し縫製により接合してある。接合部５は、接着剤により接合してもよい。パーツ６１１，６１２は、図１（ｃ）のように２層構造からなり、外側の層は吸水性のあるメリヤス地で構成し、内側の層は吸水性のある両面タオル地で構成してある。外側の層は、胸の肌に接触するため肌触りを考慮してメリヤス地を用い、内側の層は、吸水性の高い両面タオル地を用いている。
【０００８】
吸汗パッド６は、パーツ６１１，６１２が２層構造になっているから、合計４層になり、吸汗効果が高くなる。また吸汗パッド６は、袋状に形成してあるからその吸汗パッドの中に、高吸水性ポリマー、親水性不織布等の吸水部材を収納することもでき、その場合には、吸汗効果を一層高めることができる。また吸汗パッド６は、袋状に形成してあるから匂い袋等の物入れに兼用できる。
【０００９】
手術により乳房を切除する程度は、人によって異なり、また乳房の大きさも人によって異なる。そのため汎用型の義乳房を使用する場合には、多くの場合健全乳房とバランスさせるために義乳房の高さ調整が必要になる。そのような場合、吸汗パッド６の中に布片、紙片、スポンジ状片等からなる高さ調整部材を収納することにより広範囲の高さ調整を簡単に行うことができる。
吸汗パッド６は、洗濯をして繰り返し使用でき、また洗濯の際、開口部６２を開いた状態で干すことができるから、メリヤス地２枚厚手のタオル地２枚の布４枚を重ねた状態で干す場合よりも乾きが早くなる。
【００１０】
図１は、袋状の吸汗パッドについて説明したが、袋状でなくメリヤス地や両面タオル地を積層するのみでもよい。また図１は、半楕円形の吸汗パッド６について説明したが、その形状は、円形、楕円形、三角形等、或いはそれらの複合形でもよい。吸汗パッド６の形状は、吸汗パッドが義乳房の底面を覆いかつブラジャーの外へはみ出さないように義乳房の底面（胸側面）の形状又はブラジャーの義乳房を装着する部分（カップから腋の下（アームホール）の部分）の形状に略沿って（合わせて）形成すればよい。また開口部６２の位置や方向は、図１に限らず吸汗パッドの形状や着用位置との関連で選定すればよい。
【００１１】
汗パッド６は、パーツ６１１，６１２の外側の層の表面にメッシュ状生地層を設けてもよい。その場合には、吸汗パッド６が汗を吸収しても、肌に湿潤感を与えないから、吸汗パッド６を快適に着用できる。
パーツ６１１，６１２の素材は、メリヤス地やタオル地に限らず、吸水性のあるものであればよく、また織布、不織布のいずれでもよい。またパーツ６１１，６１２の構造は、夫々２層に限らず１層以上あればよいが、使用する生地の厚さや吸水性を勘案して選定する。
【００１２】
図２は、吸汗パッドを着用した状態を示す図である。
吸汗パッド６は、ブラジャー２を着用したとき、ブラジャー２に装着した義乳房３と胸１の間に位置するように着用する。胸１の汗は、吸汗パッド６によって吸収する。
【００１３】
図３は、第２実施形態に係る吸汗パッドの構成を示す。
吸汗パッド６は、開口部６２のパーツ６１１側の縁に折り曲げが可能な舌状部６３を形成してある。舌状部６３は、パーツ６１１と同じ積層構造に形成してあるが、積層構造でなくてもよい。
舌状部６３は、後述するように吸汗パッド６をブラジャーに装着する際の装着手段等に使用する。
なお舌状部６３は、吸汗パッド６が袋状でない場合にも設けることができる。
【００１４】
図４は、第３実施形態に係る吸汗パッドの構成を示す。
吸汗パッド６は、開口部６２のパーツ６１１側とパーツ６１２側の夫々に舌状部６３１，６３２を形成してある。
舌状部６３１，６３２は、図３の例と同様に吸汗パッド６をブラジャーへ装着する際の装着手段等に使用できる。また２つの舌状部６３１，６３２を設けたことにより、吸汗パッド６をブラジャーへ装着する際、同じ吸汗パッドを左右いずれの義乳房にも使用できる。即ち右の乳房を切除した人にも、左の乳房を切除した人にも同じ吸汗パッド６を使用できる。
なお舌状部６３は、吸汗パッド６が袋状でない場合にも設けることができる。
【００１５】
図５は、図３の吸汗パッドの使用例を説明する図である。
図５（ａ）は、ブラジャーのカップ２１の義乳房を収納するポケット部２２の開口部の縁２３に、吸汗パッド６の舌状部６３を引っ掛けてポケット２２の内側に折り曲げてある。舌状部６３をポケット部２２の縁２３に引っ掛けることにより、吸汗パッドの着用が容易になり、かつ着用中の吸汗パッド６の位置ずれを防止できる。したがってこの場合には、ブラジャーを緩めに着用できる。
なお図５（ａ）の場合、ポケット部２２の縁２３を使う代わりに、ポケット部２２に両端を固定した糸を取付けて、その糸に吸汗パッド６の舌状部６３を引っ掛けるように構成してもよい。
【００１６】
図５（ｂ）は、吸汗パッド６の舌状部６３を広げて（折り曲げないで）使用する例である。前述したように乳房の切除の程度は人によって異なるため、広い面積の吸汗パッドが必要な場合、或いは義乳房が接する部分よりも広い範囲の汗を吸収したい場合に利用できる。なおこの場合図４の２個の舌状部を備えた吸汗パッドを使用するときは、一方の舌状部はポケット部２２の縁２３に引っ掛けて使用することもできる。
【００１７】
図６は、第４実施形態に係る吸汗パッドの構成を示す。
吸汗パッド６ａと吸汗パッド６ｂは、類似の形状（或いは相似形）をしているが、大きさが異なる。
吸汗パッド６ａと吸汗パッド６ｂは、図６（ｃ）のように吸汗パッド６ｂを吸汗パッド６ａに挿入し、両吸汗パッドを一体にして使用できる。この場合には、吸水層の厚さが２倍になるから、吸汗効果が一層高くなる。また吸汗パッド６ｂは、義乳房の高さ調節にも使用できる。
なお吸汗パッドの大きさは、２種類に限らない。
【００１８】
前記実施の形態は、吸汗パッドをブラジャーに装着する手段として吸汗パッドの舌状部を使用する例について説明したが、平面ファスナーやホックを吸汗パッドとブラジャーに取付けてそれらを吸汗パッドの装着手段に使用することもできる。
【００１９】
【発明の効果】
本願発明の吸汗パッドは、義乳房着用者の胸の義乳房が接する部分の汗を吸収或いは発散するから、義乳房を快適な状態で着用できる。
本願発明の吸汗パッドは、袋状に形成してあるからその吸汗パッドの中に、高吸水性ポリマー等の吸水部材を収納することができる。その場合には、吸汗パッド自身の吸水性と相俟って吸汗効果を一層高めることができる。また吸汗パッドは、匂い袋等の物入れに兼用できる。
【００２０】
本願発明の吸汗パッドは、義乳房の高さ調節にも使用できる。汎用型の義乳房は、比較的安価であるが多くの場合健全乳房とバランスさせるために高さ調整が必要になるが、本願発明の吸汗パッドは、その高さ調整にも使用できる。したがって本願発明の吸汗パッドは、吸汗の目的で着用すると同時に義乳房の高さ調整の目的も達成できる。また吸汗パッドの袋状部に布片、紙片、スポンジ状片等の高さ調整部材を収納することにより、義乳房の高さ調整を広範囲で行うこともできる。
【００２１】
本願発明の吸汗パッドは、洗濯をして繰り返し使用でき、かつ洗濯の際開口部を開いた状態で干すことができるから、布等の吸水材を積層して形成しても乾きが早くなる。
本願発明の吸汗パッドは、開口部に舌状部を備えているから、その舌状部をブラジャーのポケット部の縁等に引っ掛けることにより吸汗パッドの着用が容易になり、かつ着用中の吸汗パッドの位置ずれを防止できる。またその舌状部を開くことにより吸汗パッドの肌に接触する面積を大きくすることができる。またその舌状部は、折り曲げて使用することにより義乳房の高さ調節にも使用できる。
本願発明の吸汗パッドは、大きさの異なるものを組み合わせて使用することにより、吸汗効果を高めるとともに義乳房の高さ調節を広範囲に行うことができる。
【図面の簡単な説明】
【図１】本願発明の第１実施の形態に係る吸汗パッドの構成を示す図である。
【図２】図１の吸汗パッドを着用した状態を示す図である。
【図３】本願発明の第２実施の形態に係る吸汗パッドの構成を示す図である。
【図４】本願発明の第３実施の形態に係る吸汗パッドの構成を示す図である。
【図５】図３の吸汗パッドの使用例を説明する図である。
【図６】本願発明の第４実施の形態に係る吸汗パッドの構成を示す図である。
【図７】従来の義乳房の使用例を説明する図である。
【符号の説明】
１    胸
２    ブラジャー
２１    カップ
２２    ポケット部
３    義乳房
４    布
５    接合部
６，６ａ，６ｂ    吸汗パッド
６１１，６１２    パーツ
６２    開口部
６３，６３１，６３２    舌状部
【図１】
2004329563.tif 000003
【図２】
2004329563.tif 000004
【図３】
2004329563.tif 000005
【図４】
2004329563.tif 000006
【図５】
2004329563.tif 000007
【図６】
2004329563.tif 000008
【図７】
2004329563.tif 000009